(57)【要約】【課題】上下に並設する開閉扉間の間隔を可及的に小さくできて処理効率が向上すると共に、閉塞時の気密性も向上する簡易構造の多段式加熱装置を提供すること。【解決手段】各開閉扉４の左右両側の上部と下部とに上側支持腕体６と下側支持腕体７の一端部を回動自在に設けると共に、この上側支持腕体６と下側支持腕体７の他端部を炉体１の左右両側部に回動自在に枢着して平行リンク機構部８を構成し、この左右の平行リンク機構部８により開閉扉４が前面開放部２を閉塞した状態から、前方側へ突出しつつ隣接していた他の開閉扉４の前方へと平行移動して、この開閉扉４が閉塞していた前面開放部２が開放するように構成し、この平行リンク機構部８を回転駆動する駆動装置部９を備える。【選択図】図５
2013134042.tif 000002
【特許請求の範囲】
【請求項１】
前面部が開放する炉体の内部に、この炉体の前面開放部から差し入れる薄板状のワークを略水平状態に収納可能な上下多段の収納棚を設けて、この収納棚に収納した前記ワークを熱乾燥若しくは焼成し得るように構成し、この炉体の前面開放部に、この前面開放部を閉塞する横長の開閉扉を上下方向に多数並設状態に設けると共に、各開閉扉を個別に開閉駆動する開閉駆動手段を備えて、この開閉駆動手段により選択した開閉扉を開放することで前記前面開放部が開放して、この前面開放部より前記収納棚に対し前記ワークを出し入れ可能となるように構成した多段式加熱装置において、前記開閉駆動手段は、前記各開閉扉の左右両側と前記炉体の左右両側部との間に枢着される上側支持腕体と下側支持腕体から成る平行リンク機構部と、この平行リンク機構部の前記上側支持腕体若しくは前記下側支持腕体を回転駆動する駆動装置部とを備えて、この駆動装置部により、選択した前記開閉扉が前記前面開放部を閉塞した状態から、前方側へ突出しつつ閉塞時に上方若しくは下方に隣接していた他の開閉扉の前方位置へと平行移動して、この開閉扉が閉塞していた前記前面開放部が開放するように構成したことを特徴とする多段式加熱装置。
【請求項２】
前記平行リンク機構部は、前記各開閉扉の左右外側端部の上部と下部とに前記上側支持腕体と前記下側支持腕体の一端部を回動自在に設けると共に、この上側支持腕体と下側支持腕体の他端部を前記炉体の左右両外側部に回動自在に枢着することにより構成し、この平行リンク機構部の前記上側支持腕体若しくは前記下側支持腕体を回転駆動する駆動装置部を前記炉体の左右両外側部に設けて、この駆動装置部により選択した開閉扉を開閉駆動し得るように構成したことを特徴とする請求項１記載の多段式加熱装置。
【請求項３】
前記平行リンク機構部は、前記上側支持腕体若しくは前記下側支持腕体に、この上側支持腕体若しくは下側支持腕体を押し引き駆動する前記駆動装置部を連結し、この駆動装置部が上側支持腕体若しくは下側支持腕体を押し引き駆動することにより、上側支持腕体若しくは下側支持腕体が前記炉体の左右両側部への枢着部を支点に回転駆動して、前記開閉扉が平行移動する構成としたことを特徴とする請求項１，２のいずれか１項に記載の多段式加熱装置。
【請求項４】
前記炉体の左右両側部に、前記開閉扉と同数の前記開閉駆動手段を上下方向に多数並設状態に設けて、この各開閉駆動手段が各開閉扉を個別に開閉駆動するように構成したことを特徴とする請求項１〜３のいずれか１項に記載の多段式加熱装置。
【発明の詳細な説明】
【技術分野】
【０００１】
本発明は、薄板状のワークを加熱処理する多段式加熱装置に関するものである。
【背景技術】
【０００２】
例えば、ＵＶカット機能やＩＲカット機能を有する自動車用の窓ガラスは、ガラス板に特殊な材料を塗布した後、ハイクリーンオーブンと称される加熱装置に収納して加熱処理（熱乾燥）することによって形成されるものがある。
【０００３】
このような加熱処理に用いられる加熱装置は、前面部が開放する炉体の内部に、この炉体の前面開放部から差し込まれるガラス板などの薄板状のワークを略水平状態に収納可能な上下多段の収納棚が設けられると共に、この収納棚に収納した前記ワークを熱乾燥若しくは焼成し得るように構成され、更にこの炉体の前面開放部に、観音開き扉のような大きな開閉扉が設けられていて、ワークの炉体からの出し入れは、この開閉扉の開閉によって行われるように構成されている。
【０００４】
しかし、このような扉全体を開閉する方式であると、開閉の度に炉体の前面開放部が大きく開かれるため、その都度炉体内の温度が低下して大きなエネルギー損失を招いてしまう。
【０００５】
そこで、開閉扉の所要部分にワークの出し入れを行うためのスリットを設けた一枚の扉を昇降させることによって、上記のような従来の問題を解決した加熱装置が提案されている（下記特許文献１参照。）。
【０００６】
この特許文献１を更に説明すると、炉体の前面開放部に、一枚のワークの出し入れを可能とするスリットを開設したシャッター扉を昇降自在に取付けると共に、このシャッター扉は、前記スリットを収納棚の最下段から最上段の各段に対応させるための昇降運動、並びに対応した収納棚の段部に対するワークの出し入れのための停止が行われるような間歇的昇降運動がなされるように構成されているもので、この構成によれば、未処理ワークの収容、及び処理済みワークの取出しは、最小限の開口部であるスリットを介して行われることになるので、開閉扉の開閉に伴う炉内温度の低下（エネルギー損失の低下）を最小限に抑えることができる。
【０００７】
また、上記のような一枚扉が昇降運動制御される構成ではなく、内部に収納棚22を有する炉体20の前面部に横長の開閉扉23が上下方向に多数並設状態に設けられると共に、この開閉扉23の数に応じて、炉体20の前面部に横長スリット状の前面開放部21が上下方向に多数並設状態に設けられた簡易構造の加熱装置も従来から実施されている（図８参照。）。
【０００８】
この上下多段の開閉扉23を有する加熱装置を更に説明すると、各開閉扉23には、下部に回転軸24が設けられていて、この回転軸24により炉体20に対して起伏開閉回転自在に設けられている。そして、選択した開閉扉23がこの回転軸24を支点に閉塞状態から下方へ伏動回転すると、選択した前面開放部21が開放して前記収納棚22からワークＷを出し入れ可能となるように構成されている。
【先行技術文献】
【特許文献】
【０００９】
【特許文献１】特許第２７６２３５２号公報
【発明の概要】
【発明が解決しようとする課題】
【００１０】
図８に示した上下多段の開閉扉23を有する従来の加熱装置は、各開閉扉23の下部に回転軸24が設けられているため、この回転軸24を配設するためのスペースが上下の開閉扉23間に必要となる。
【００１１】
そのため、収納棚22の棚間隔も開閉扉23の間隔に対応させて広めに形成する必要があり、ワークの収納効率（処理効率）にやや難があった。
【００１２】
本発明は、このような横長の開閉扉を上下多段に有する多段式加熱装置の改良に係るもので、上下に並設する開閉扉間の間隔を可及的に小さくできてワークの収納効率（処理効率）が向上すると共に、閉塞時の気密性も向上する簡易構造の多段式加熱装置を提供するものである。
【課題を解決するための手段】
【００１３】
添付図面を参照して本発明の要旨を説明する。
【００１４】
前面部が開放する炉体１の内部に、この炉体１の前面開放部２から差し入れる薄板状のワークＷを略水平状態に収納可能な上下多段の収納棚３を設けて、この収納棚３に収納した前記ワークＷを熱乾燥若しくは焼成し得るように構成し、この炉体１の前面開放部２に、この前面開放部２を閉塞する横長の開閉扉４を上下方向に多数並設状態に設けると共に、各開閉扉４を個別に開閉駆動する開閉駆動手段５を備えて、この開閉駆動手段５により選択した開閉扉４を開放することで前記前面開放部２が開放して、この前面開放部２より前記収納棚３に対し前記ワークＷを出し入れ可能となるように構成した多段式加熱装置において、前記開閉駆動手段５は、前記各開閉扉４の左右両側と前記炉体１の左右両側部との間に枢着される上側支持腕体６と下側支持腕体７から成る平行リンク機構部８と、この平行リンク機構部８の前記上側支持腕体６若しくは前記下側支持腕体７を回転駆動する駆動装置部９とを備えて、この駆動装置部９により、選択した前記開閉扉４が前記前面開放部２を閉塞した状態から、前方側へ突出しつつ閉塞時に上方若しくは下方に隣接していた他の開閉扉４の前方位置へと平行移動して、この開閉扉４が閉塞していた前記前面開放部２が開放するように構成したことを特徴とする多段式加熱装置に係るものである。
【００１５】
また、前記平行リンク機構部８は、前記各開閉扉４の左右外側端部の上部と下部とに前記上側支持腕体６と前記下側支持腕体７の一端部を回動自在に設けると共に、この上側支持腕体６と下側支持腕体７の他端部を前記炉体１の左右両外側部に回動自在に枢着することにより構成し、この平行リンク機構部８の前記上側支持腕体６若しくは前記下側支持腕体７を回転駆動する駆動装置部９を前記炉体１の左右両外側部に設けて、この駆動装置部９により選択した開閉扉４を開閉駆動し得るように構成したことを特徴とする請求項１記載の多段式加熱装置に係るものである。
【００１６】
また、前記平行リンク機構部８は、前記上側支持腕体６若しくは前記下側支持腕体７に、この上側支持腕体６若しくは下側支持腕体７を押し引き駆動する前記駆動装置部９を連結し、この駆動装置部９が上側支持腕体６若しくは下側支持腕体７を押し引き駆動することにより、上側支持腕体６若しくは下側支持腕体７が前記炉体１の左右両側部への枢着部を支点に回転駆動して、前記開閉扉４が平行移動する構成としたことを特徴とする請求項１，２のいずれか１項に記載の多段式加熱装置に係るものである。
【００１７】
また、前記炉体１の左右両側部に、前記開閉扉４と同数の前記開閉駆動手段５を上下方向に多数並設状態に設けて、この各開閉駆動手段５が各開閉扉４を個別に開閉駆動するように構成したことを特徴とする請求項１〜３のいずれか１項に記載の多段式加熱装置に係るものである。
【発明の効果】
【００１８】
本発明は上述のように構成したから、平行リンク機構部により、開閉扉の開放時には、開閉扉が上方若しくは下方に隣接していた他の開閉扉の前方に位置して開放した前面開放部からのワークの出し入れの邪魔とならず、且つ開閉扉の閉塞時には、下方に設けられた回転軸を支点に開閉扉が開閉回転する従来構造よりも、高い気密性をもって炉体の前面開放部を閉塞でき、しかも、従来構造のような各開閉扉間の回転軸配設用スペースは不要となるから、上下に多数並設状態に設けられる各開閉扉の並設間隔を小さく設計でき、これに応じて収納棚の棚間隔も小さく設計することで処理効率の高い装置構成を簡易に実現可能となり、その上、平行リンク機構部とこれを駆動する駆動装置部とを備えた本発明の開閉駆動手段は、簡易に設計実現可能な構成であると共に、各開閉扉の左右両側と、炉体の左右両側部とに平行リンク機構部を設けたため、この各開閉扉と左右の平行リンク機構部とを既製の多段式加熱装置の炉体に対して後付け可能となるように設計することも容易に可能であるなど、極めて実用性に優れた多段式加熱装置となる。
【００１９】
また、請求項２記載の発明においては、各開閉扉と左右の平行リンク機構部とを既製の多段式加熱装置の炉体に対して後付け可能となる構成を一層簡易に設計実現可能となる実用性に優れた多段式加熱装置となる。
【００２０】
また、請求項３記載の発明においては、駆動装置部によって平行リンク機構部が確実に駆動して開閉扉が開閉する構造を簡易に設計実現可能となる一層実用性に優れた多段式加熱装置となる。
【００２１】
また、請求項４記載の発明においては、多数の開閉扉が個別に開閉駆動する構成を簡易に設計実現可能となる一層実用性に優れた多段式加熱装置となる。
【図面の簡単な説明】
【００２２】
【図１】本実施例を示す正面図である。
【図２】本実施例を示す平断面図である。
【図３】本実施例の説明部分拡大正面図である。
【図４】本実施例の説明部分拡大斜視図である。
【図５】本実施例の説明部分拡大側断面図である。
【図６】本実施例の開閉駆動手段の動作説明図である。
【図７】本実施例を示す部分拡大説明側面図である。
【図８】従来例を示す部分拡大説明側面図である。
【発明を実施するための形態】
【００２３】
好適と考える本発明の実施形態を、図面に基づいて本発明の作用を示して簡単に説明する。
【００２４】
炉体１内部の収納棚３に、炉体１の前面開放部２から薄板状のワークＷを差し入れて略水平状態に収納し、この炉体１の前面開放部２を多数の開閉扉４で閉塞して炉体１内を加熱しワークＷを熱乾燥若しくは焼成する。
【００２５】
熱乾燥若しくは焼成が終了したワークＷは、対応する開閉扉４を選択して開閉駆動手段５により個別に開放し、開放した前記前面開放部２を介して前記収納棚３からワークＷを取り出して代わりに新しいワークＷを差し入れる。
【００２６】
また、本発明の開閉扉４の具体的な開閉動作は、開閉駆動手段５の駆動装置部９が左右の平行リンク機構部８の上側支持腕体６若しくは下側支持腕体７を回転駆動すると、前記前面開放部２を閉塞した状態から、前方側へ突出しつつ閉塞時に上方若しくは下方に隣接していた他の開閉扉４の前方位置へと平行移動して、この開閉扉４が閉塞していた部位の前面開放部２が開放し、この開放状態で開閉駆動手段５の駆動装置部９が左右の平行リンク機構部８の上側支持腕体６若しくは下側支持腕体７を上記と逆方向に回転駆動すると、他の開閉扉４の前方位置から、後方側（前面開放部２側）へ退避しつつ前記前面開放部２を閉塞する位置へと平行移動する。
【００２７】
そのため、開閉扉４の開放時には、開閉扉４が上方若しくは下方に隣接していた他の開閉扉４の前方に位置して開放した前面開放部２からのワークＷの出し入れの邪魔とならず、また、開閉扉４の閉塞時には、平行移動する開閉扉４の全範囲に均等な閉塞回転駆動力が付与されて前面開放部２を閉塞するので、各開閉扉23の下方に回転軸24が設けられて開閉扉23が起伏開閉する従来構造とは異なり、開閉扉４の上部が閉塞する位置と下部が閉塞する位置とで閉塞能力（密閉性能）に差がなく、高い気密性をもって前面開放部２を閉塞できる。
【００２８】
また、各開閉扉４の下方に回転軸がないため、各開閉扉４間に回転軸を配設するためのスペースは不要であり、従って、従来例に比べて、上下に多数並設状態に設けられる各開閉扉４の並設間隔を小さく設計することが容易に可能となり、これに応じて収納棚３の棚間隔も小さく設計することでワークＷ収納効率（処理効率）の高い装置構成を実現可能となる。
【００２９】
また、前記各開閉扉４の左右両側と炉体１の左右両側部との間に枢着される上側支持腕体６と下側支持腕体７とから成る本発明の平行リンク機構部８は、簡易に設計実現可能な構成であると共に、この平行リンク機構部８と駆動装置部９とを備えた開閉駆動手段５も簡易に設計実現可能な構成であり、更に各開閉扉４の左右両側と、炉体１の左右両側部とに平行リンク機構部８を設ける構成としたため、この各開閉扉４と左右の平行リンク機構部８とを既製の多段式加熱装置の炉体１に対して後付け可能となるように設計することも容易に可能である。
【実施例】
【００３０】
本発明の具体的な実施例について図面に基づいて説明する。
【００３１】
本実施例の多段式加熱装置は、ボックス形の炉体１の前面部に横長スリット状の前面開放部２を、上下方向に多数並設状態にして貫通形成し、この炉体１の内部に、ワークＷ支持用の支持バー12を上下多段に突設して、この炉体１内部を支持バー12によりワークＷを略水平に支持して上下多段に収納する収納棚３に構成している。
【００３２】
また、図面では、一つの前面開放部２に対して二枚のワークＷを出し入れ自在に収納可能となる棚間隔（段間隔）の収納棚３を構成した場合を示している。更に詳しくは、図７に示すように、一つの前面開放部２に対して収納された二枚のワークＷの間隔Ｌ１が７０ｍｍ程度となるように収納棚３を設定構成している。
【００３３】
また、この炉体１には、熱風を送風する送風装置部10を設け、この送風装置部10によって炉体１の一側部へと供給される熱風が他側部へと流動して循環し、この循環する熱風により収納棚３に収納したワークＷを熱乾燥若しくは焼成し得るように構成している。図中符号11は送風装置部10を駆動するための駆動モータである。
【００３４】
本実施例は、炉体１前面部に上下多段に設けられた前記前面開放部２を閉塞する横長の開閉扉４を上下方向に多数並設状態に設けると共に、各開閉扉４を個別に開閉駆動する開閉駆動手段５を備えて、この開閉駆動手段５により選択した開閉扉４を開放することで選択した位置の前面開放部２が開放して、この開放した前面開放部２より前記収納棚３に対し前記ワークＷを出し入れ可能となるように構成している。
【００３５】
また、開閉扉４は、前記前面開放部２よりも一回り大型な横長の長方形板状であって、やや厚みのある板材で構成している。
【００３６】
また、開閉駆動手段５は、一つの開閉扉４につき一手段が設けられる構成としている。即ち、開閉扉４と同数の開閉駆動手段５を設けて、この各開閉駆動手段５が各開閉扉４を個別に開閉駆動するように構成している。
【００３７】
この開閉駆動手段５を具体的に説明すると、前記各開閉扉４の左右両端の外側面に、その中ほどより上部寄り位置に帯板状の上側支持腕体６の一端部を枢着して、この上側支持腕体６を開閉扉４の外側面の面方向に沿って回動自在に設けると共に、各開閉扉４の外側面の下端部寄りに、前記上側支持腕体６と同長の帯板状の下側支持腕体７の一端部を枢着して、この下側支持腕体７を開閉扉４の外側面の面方向に沿って回動自在に設けている。
【００３８】
また、この上側支持板体６と下側支持板体７とを平行に配して双方の他端部を前記炉体１の左右両端の外側面に回動自在に枢着することで、開閉扉４を平行移動させる平行リンク機構部８を構成している。
【００３９】
また、この平行リンク機構部８は、上側支持板体６と下側支持板体７の他端部を、対応する前面開放部２の中ほどより下方位置の炉体１外側面に枢着し、これにより左右両側の平行リンク機構部８を介して開閉扉４が前面開放部２を閉塞した状態から、前方下側へ突出しつつ閉塞時に下方に隣接していた他の開閉扉４の前方位置へと円弧状の軌跡を描きながら平行移動して、この開閉扉４が閉塞していた前記前面開放部２が開放するように構成している。尚、上側支持板体６と下側支持板体７の他端部を、対応する前面開放部２の中ほどより上方位置の炉体１外側面に枢着して、開閉扉４が前面開放部２を閉塞した状態から、前方上側へ突出しつつ閉塞時に上方に隣接していた他の開閉扉４の前方位置へと平行移動するように構成しても良い。
【００４０】
また、開閉扉４の左右両外側面と、上側支持腕体６及び下側支持腕体７の一端部との枢着構造は、炉体１と開閉扉４の左右横幅の違いから、開閉扉４の左右外側面の上部と下部とに連結杆13を突設し、この上下の連結杆13を上側支持板体６と下側支持板体７の一端部に枢着した構造としている。
【００４１】
また、平行リンク機構部８の前記下側支持腕体７を回転駆動する駆動装置部９を備えて、この駆動装置部９により選択した開閉扉４を開放し得るように構成している。
【００４２】
具体的には、前記各下側支持板体７は、その他端側が下側支持板体７の長さ方向と直交する方向に延設突出する形状の板材で形成して、この他端側の突出部17に夫々前記駆動装置部９を連結する構成としている。尚、上側支持板体６に駆動装置部９を連結する構成としても良い。
【００４３】
また、駆動装置部９は、連結した下側支持腕体７を押し引きして回転駆動させるピストン・シリンダ装置９（例えばエアシリンダ装置）を採用し、このピストン・シリンダ装置９を前記炉体１の左右外側面に取り付けしている。即ち、炉体１の左右両外側面に、前記開閉扉４と同数のピストン・シリンダ装置９を上下方向に多数並設状態に設けた構成としている。また、この各ピストン・シリンダ装置９は、前記炉来１の左右両外側面に沿って略水平に横設配設することで、省スペースに上下多段に並設した構成としている。
【００４４】
そして、この各ピストン・シリンダ装置９のピストンロッド14の先端部を、各下側支持板体７の突出部17に対し炉体１の左右外側面の面方向に沿って回動自在に枢着連結した構成として、このピストン・シリンダ装置９が下側支持腕体７を押し引き駆動すると、下側支持腕体７がその他端部を支点に回転して平行リンク機構部８により前記開閉扉４が開閉駆動（平行移動）する構成としている。
【００４５】
また、このピストン・シリンダ装置９は、炉体１の左右外側面に取付可能な取付板16に設け、この取付板16を介して前記炉体１の左右外側面に取付した構成としている。
【００４６】
具体的には、取付板16に枢支部18を設け、この枢支部18にピストン・シリンダ装置９のシリンダ15を枢着することで、取付板16にピストン・シリンダ装置９を起伏回動自在に設けると共に、この枢支部18を介してピストン・シリンダ装置９を略水平な横設状態とし得るように設けている。
【００４７】
また、本実施例では、この取付板16に前記上側支持腕体６と前記下側支持腕体７の他端部を枢着した構成としている。
【００４８】
即ち、この取付板16を介して上側支持腕体６と下側支持腕体７の他端部を間接的に炉体１の左右外側面に枢着している。
【００４９】
換言すると、本実施例は、開閉蓋４を含む開閉駆動手段５を具備した取付板16を、炉体１に対して取付した構成としている。また、この開閉蓋４を含む開閉駆動手段５を取付板16に設けたため、この取付板16を既存の多段式加熱装置の炉体１に対して後付することも容易に可能な構成としている。
【００５０】
このように構成した本実施例の多段式加熱装置は、図８に示す従来例のように、各開閉扉23の下方に回転軸24が設けられる構造ではないため、各開閉扉４間に回転軸配設用のスペースが不要で、上下に多数並設状態に設けられる各開閉扉４の並設間隔を小さく設計することができ、これにより収納棚３の棚間隔（段間隔）も小さく設計することができた。
【００５１】
具体的には、従来例では、各開閉扉23の上下並設間隔が４１ｍｍ程度であったが、出願人による本実施例の試作品では、各開閉扉４の並設間隔を３０ｍｍ程度に設計できた。
【００５２】
また、従来例では、上下の前面開放部21間に跨るワークＷ間の間隔Ｌ３が１７０ｍｍ程度であったが、本実施例の試作品では、上下の前面開放部２間に跨るワークＷ間の間隔Ｌ２を１２０ｍｍ程度に設計できた。
【００５３】
従って、従来例よりもワークＷ収納効率（処理効率）の高い装置構成を実現できた。
【００５４】
また、開閉扉４の開放時には、開閉扉４が下方に隣接していた他の開閉扉４の前方に退避移動して開放した前面開放部２からのワークＷの出し入れの邪魔とならず、また、開閉扉４の閉塞時には、平行移動する開閉扉４の全範囲に均等な閉塞回転駆動力が付与されるので、各開閉扉23の下方に回転軸24が設けられて開閉扉23が起伏開閉する従来例構造とは異なり、開閉扉４の上部が閉塞する位置と下部が閉塞する位置とで閉塞能力（密閉性能）に差がなく、高い気密性をもって前面開放部２を閉塞できることになる。
【００５５】
尚、本発明は、本実施例に限られるものではなく、各構成要件の具体的構成は適宜設計し得るものである。
【符号の説明】
【００５６】
１  炉体
２  前面開放部
３  収納棚
４  開閉扉
５  開閉駆動手段
６  上側支持腕体
７  下側支持腕体
８  平行リンク機構部
９  駆動装置部
Ｗ  ワーク
【図１】
2013134042.tif 000003
【図２】
2013134042.tif 000004
【図３】
2013134042.tif 000005
【図４】
2013134042.tif 000006
【図５】
2013134042.tif 000007
【図６】
2013134042.tif 000008
【図７】
2013134042.tif 000009
【図８】
2013134042.tif 000010